(57)【特許請求の範囲】
【請求項１】
回路基板に部品を実装する部品実装システムを構成する装置に設けられた表示兼用操作パネルにおいて、
該表示兼用操作パネルは、前記装置の前後左右のいずれの方向からでも作業者が視認可能な位置に設置され、前記装置の稼働状況を表示する稼働状況表示部と、操作に必要な情報を表示する情報表示部と、作業者が操作信号を入力する操作部とを備え、
前記稼働状況表示部は、緑色又は青色発光領域と黄色発光領域と赤色発光領域とを並べて配列して、発光色によって前記装置の稼働状況を表示する構成であり、
該表示兼用操作パネルは、前記装置の前後左右のいずれの方向からでも作業者が少なくとも前記稼働状況表示部及び前記情報表示部の表示を視認できるように透明パネル化されていることを特徴とする表示兼用操作パネル。
【請求項２】
前記情報表示部は、前記操作部の操作により表示を表裏反転させる表示反転機能を備えていることを特徴とする請求項１に記載の表示兼用操作パネル。
【請求項３】
前記装置は、前記部品実装システムに対して前後方向に出し入れ可能に据え付けられていることを特徴とする請求項１又は２に記載の表示兼用操作パネル。
【発明の詳細な説明】
【技術分野】
【０００１】
本発明は、回路基板に部品を実装する部品実装システムを構成する部品実装機、半田印刷機、検査機等の装置に設けられた表示兼用操作パネルに関する発明である。
【背景技術】
【０００２】
特許文献１（特許第５４２４６８６号公報）に記載されているように、部品実装システムでは、回路基板の搬送経路に沿って部品実装機、半田印刷機、検査機等の複数の装置が配列され、各装置の上部に、操作部付きの表示装置（モニタ）と当該装置の稼働状況を表示する表示灯とが別々に設置されている。表示灯は、装置が正常に稼働している正常稼働時には緑色（青色）のランプを点灯し、何らかのトラブルが発生した異常時（警告時）には赤色のランプを点灯し、基板搬入待ち時には黄色のランプを点灯して、作業者に当該装置の稼働状況を知らせるようにしている。
【先行技術文献】
【特許文献】
【０００３】
【特許文献１】特許第５４２４６８６号公報
【発明の概要】
【発明が解決しようとする課題】
【０００４】
しかし、上記特許文献１のように、各装置の上部に、操作部付きの表示装置と表示灯とを別々に設置する構成では、装置の表示機能に関する構成部品の数が多くなり、省スペース化や低コスト化の要求を十分に満たすことができない。しかも、表示装置の画面に表示される情報は、装置の前面側からしか見ることができないため、装置の背面側で作業する作業者が表示装置の画面に表示される情報を見て確認する必要がある場合には、わざわざ作業者が装置の前面側に移動して表示装置の画面に表示される情報を見て確認しなければならず、作業性が悪いという欠点もあった。また、操作部付きの表示装置は、操作性を考慮して装置の上部前面側に設置されているため、装置のメンテナンス時等に作業者が部品実装システムから装置を前方に引き出して当該装置内部を点検・修理する場合に、表示装置も装置と一体的に前方へ移動してしまい、当該装置内部を点検・修理・段取替えする作業者の位置からは、表示装置の背面しか見ることができず、表示装置の画面に表示される情報を背面側から見ることはできない。
【０００５】
そこで、本発明が解決しようとする課題は、部品実装システムを構成する装置の表示機能に関する構成部品の数を削減して、省スペース化や低コスト化の要求を満たすことができると共に、作業者が装置の前後左右のいずれの方向からでも表示部の表示を見て確認できる表示兼用操作パネルを提供することである。
【課題を解決するための手段】
【０００６】
上記課題を解決するために、請求項１に係る発明は、回路基板に部品を実装する部品実装システムを構成する装置に設けられた表示兼用操作パネルにおいて、該表示兼用操作パネルは、前記装置の前後左右のいずれの方向からでも作業者が視認可能な位置に設置され、前記装置の稼働状況を表示する稼働状況表示部と、操作に必要な情報を表示する情報表示部と、作業者が操作信号を入力する操作部とを備え、前記稼働状況表示部は、緑色又は青色発光領域と黄色発光領域と赤色発光領域とを並べて配列して、発光色によって前記装置の稼働状況を表示する構成であり、該表示兼用操作パネルは、前記装置の前後左右のいずれの方向からでも作業者が少なくとも前記稼働状況表示部及び前記情報表示部の表示を視認できるように透明パネル化されていることを特徴とするものである。  本発明は、表示兼用操作パネルに、装置の稼働状況を表示する稼働状況表示部（従来の表示灯に相当する表示機能）と、操作に必要な情報を表示する情報表示部とが設けられているため、従来の単独の表示灯が不要となり、部品実装システムを構成する装置の表示機能に関する構成部品の数を削減して、省スペース化、低コスト化、省電力化の要求を満たすことができる。しかも、表示兼用操作パネルは、装置の前後左右のいずれの方向からでも作業者が視認可能な位置に設置され、且つ、装置の前後左右のいずれの方向からでも作業者が少なくとも稼働状況表示部及び情報表示部の表示を視認できるように透明パネル化されているため、作業者が装置の前後左右のいずれの方向からでも稼働状況表示部及び情報表示部の表示を見て確認でき、作業性も向上できる。
【０００７】
この場合、作業者が表示兼用操作パネルの背面側から見ると、情報表示部に表示された文字情報が裏返って見えてしまい、文字情報を読みにくい。
この対策として、請求項２のように、情報表示部は、操作部の操作により表示を表裏反転させる表示反転機能を備えた構成とすると良い。このようにすれば、作業者が表示兼用操作パネルの背面側から見る場合でも、操作部の操作により情報表示部に表示された文字情報を背面側から見て表向きの表示に反転させることができ、表示兼用操作パネルの背面側からでも文字情報を読みやすくすることができる。
【０００８】
本発明は、部品実装システムに装置が固定された構成（出し入れできない構成）としても良いし、請求項３のように、部品実装システムに対して装置を前後方向に出し入れ可能に据え付けた構成としても良い。後者の構成では、装置のメンテナンス時等に作業者が部品実装システムから装置を前方に引き出して当該装置内部を点検・修理・段取替えする場合に、表示兼用操作パネルが装置と一体的に前方へ移動しても、当該装置内部を点検・修理・段取替えする作業者の位置から表示兼用操作パネルの背面を通して状況表示部及び情報表示部の表示を見て確認することができ、作業性を向上できる。
【図面の簡単な説明】
【０００９】
【図１】図１は本発明の一実施例を示す部品実装システムの斜視図である。
【図２】図２は部品実装システムから１台の部品実装機を引き出した状態を示す平面図である。
【図３】図３は電源オフ時の表示兼用操作パネルの状態を正面側から見た斜視図である。
【図４】図４は電源オン時の表示兼用操作パネルの「正常時」の表示状態を正面側から見た斜視図である。
【図５】図５（ａ）は電源オン時の表示兼用操作パネルの「警告時」の表示状態を正面側から見た斜視図、（ｂ）は同状態を背面側から見た斜視図、（ｃ）は同状態を側面側から見た斜視図である。
【図６】図６は電源オン時の表示兼用操作パネルの「基板搬入待ち時」の表示状態を正面側から見た斜視図である。
【発明を実施するための形態】
【００１０】
以下、本発明を実施するための形態を具体化した一実施例を説明する。
まず、図１及び図２に基づいて部品実装システム１０の構成を説明する。
部品実装システム１０のベース台１１上に、回路基板の搬送方向（Ｘ方向）に隣接して複数台の部品実装機１２（装置）が前後方向（Ｙ方向）に出し入れ可能に整列配置されている。各部品実装機１２は、本体ベッド１３上に、部品を供給するフィーダ１４、回路基板を搬送するコンベア１５、吸着ノズル（図示せず）に吸着した部品を撮像する撮像装置１６、１本又は複数本の吸着ノズルを保持する装着ヘッド１７等を搭載して構成されている。装着ヘッド１７は、ＸＹ移動機構（図示せず）によってＸＹ方向に移動され、部品吸着動作と部品実装動作を行うようになっている。部品実装機１２の上面フレーム１８の前面側の位置には、後述する表示兼用操作パネル２０が立設されている。これにより、表示兼用操作パネル２０は、部品実装機１２の前後左右のいずれの方向からでも作業者が視認可能な位置に設置されている。
【００１１】
各部品実装機１２は、上流側の部品実装機１２から搬送されてくる回路基板をコンベア１５によって所定位置まで搬送してクランプ機構（図示せず）で該回路基板をクランプして位置決めすると共に、フィーダ１４によって供給される部品を装着ヘッド１７の吸着ノズルで吸着して、その吸着位置から撮像位置へ移動させて撮像装置１６で撮像して該部品を画像認識して部品の吸着姿勢や吸着位置ずれ量を判定しからコンベア１５上の回路基板に実装する。
【００１２】
次に、図３乃至図６を用いて表示兼用操作パネル２０の構成を説明する。
表示兼用操作パネル２０は、部品実装機１２の稼働状況を表示する稼働状況表示部２１と、操作に必要な情報を表示する情報表示部２２と、作業者が操作信号を入力する操作部２３とを例えば上下３段に備えた構成となっている。表示兼用操作パネル２０は、部品実装機１２の前後左右のいずれの方向からでも作業者が少なくとも稼働状況表示部２１及び情報表示部２２の表示を視認できるように透明パネル化（半透明パネルも含む）されている。稼働状況表示部２１及び情報表示部２２は、表示する情報のみが作業者から視認できるように構成され、図３に示すように、表示兼用操作パネル２０の電源オフ時には、稼働状況表示部２１及び情報表示部２２全体が透明（半透明も含む）となる。
【００１３】
稼働状況表示部２１は、例えば、緑色（青色）発光領域２１ａと黄色発光領域２１ｂと赤色発光領域２１ｃとを左右方向に並べて配列した構成であり、部品実装機１２が正常に稼働している場合は、図４に示すように、左端の緑色（青色）発光領域２１ａのみを緑色（青色）に発光させて、「正常時」であることを表示する。また、部品実装機１２に何らかのトラブルが発生した場合は、図５に示すように、右端の赤色発光領域２１ｃのみを赤色に発光させて、「警告時」であることを表示する。また、部品実装機１２が回路基板の搬入を待っている場合は、図６に示すように、中間の黄色発光領域２１ｂのみを黄色に発光させて、「基板搬入待ち時」であることを表示する。
【００１４】
情報表示部２２は、操作部２３の操作により表示を表裏反転させる表示反転機能を備えた構成となっている。尚、稼働状況表示部２１についても、表示を表裏反転させる表示反転機能を備えた構成としても良い。
【００１５】
操作部２３は、操作キー等を備えた操作パネルにより構成されている。尚、操作部２３をタッチパネルで構成しても良く、また、タッチパネルを透明パネル化したり、表示を表裏反転させる表示反転機能を持たせても良い。この場合、操作部２３と情報表示部２２とを表示兼用操作パネル２０の１つの画面に表示させるようにしても良い。
【００１６】
以上説明した本実施例によれば、表示兼用操作パネル２０に、部品実装機１２の稼働状況を表示する稼働状況表示部２１（従来の表示灯に相当する表示機能）と、操作に必要な情報を表示する情報表示部２２とが設けられているため、従来の単独の表示灯が不要となり、部品実装機１２の表示機能に関する構成部品の数を削減して、省スペース化、低コスト化、省電力化の要求を満たすことができる。しかも、表示兼用操作パネル２０は、部品実装機１２の前後左右のいずれの方向からでも作業者が視認可能な位置に設置され、且つ、部品実装機１２の前後左右のいずれの方向からでも作業者が少なくとも稼働状況表示部２１及び情報表示部２２の表示を視認できるように透明パネル化されているため、作業者が部品実装機１２の前後左右のいずれの方向からでも稼働状況表示部２１及び情報表示部２２の表示を見て確認でき、作業性も向上できる。
【００１７】
しかも、本実施例では、情報表示部２２を、操作部２３の操作により表示を表裏反転させる表示反転機能を持たせるように構成したので、作業者が表示兼用操作パネル２０の背面側から見る場合でも、操作部２３の操作により情報表示部２２に表示された文字情報を背面側から見て表向きの表示に反転させることができ、表示兼用操作パネル２０の背面側からでも文字情報を読みやすくすることができる。但し、本発明は、低コスト化のために表示反転機能を省略した構成としても良い。
【００１８】
しかも、本実施例では、部品実装システム１０に対して部品実装機１２を前後方向に出し入れ可能に据え付けた構成とし、図２に示すように、部品実装機１２のメンテナンス時等に作業者が部品実装システム１０から部品実装機１２を前方に引き出して当該部品実装機１２内部を点検・修理・段取替えする場合に、表示兼用操作パネル２０が部品実装機１２と一体的に前方へ移動しても、当該部品実装機１２内部を点検・修理・段取替えする作業者の位置から表示兼用操作パネル２０の背面を通して状況表示部２１及び情報表示部２２の表示を見て確認することができ、作業性を向上できる。
【００１９】
但し、本発明は、部品実装システム１０に表示兼用操作パネル２０が固定された構成（出し入れできない構成）としても良い。
その他、本発明は、上記実施例に限定されるものではなく、部品実装システムを構成する半田印刷機、検査機等に表示兼用操作パネル２０を設ける構成としても良く、また、部品実装システムの構成や部品実装機の構成を適宜変更しても良い等、要旨を逸脱しない範囲で種々変更して実施できることは言うまでもない。
【符号の説明】
【００２０】
１０…部品実装システム、１１…ベース台、１２…部品実装機（装置）、１４…フィーダ、２０…表示兼用操作パネル、２１…稼働状況表示部、２１ａ…緑色（青色）発光領域、２１ｂ…黄色発光領域、２１ｃ…赤色発光領域、２２…情報表示部、２３…操作部
【図１】
0006436691.tif 000002
【図２】
0006436691.tif 000003
【図３】
0006436691.tif 000004
【図４】
0006436691.tif 000005
【図５】
0006436691.tif 000006
【図６】
0006436691.tif 000007